(57)【要約】【課題】  部外者が屋外引き戸のガラスの錠対応部分を割ること自体を可及的に防止できるとともに、仮に屋外引き戸のガラスを割られても部外者によるクレセント錠の解錠操作を不能にすることにより、引き戸の防犯機能を大幅に向上することができるクレセント錠の防犯カバーを提供する。【解決手段】  本発明に係るクレセント錠の防犯カバー１は、屋内引き戸３の縦枠７に取り付け可能な取付プレート１５と、その縦枠７の枠外側面に取り付けられたクレセント錠４を屋外側から見えないように隠すために前記取付プレート１５の幅方向一端側に設けられたカバープレート１６と、クレセント錠４を操作不能な状態に取り囲むガード位置と同クレセント錠４を操作可能な状態に解放するアンガード位置のいずれかに切り換え自在となるようにカバープレート１６に取り付けられたロックプレート２３と、このロックプレート２３をガード位置にロックする施錠機構２４と、を備えたものである。【選択図】  図２
2005155295.tif 000002
【特許請求の範囲】
【請求項１】
屋内引き戸（３）の縦枠（７）に取り付け可能な取付プレート（１５）と、
その縦枠（７）の枠外側面に取り付けられたクレセント錠（４）を屋外側から見えないように隠すために前記取付プレート（１５）の幅方向一端側に設けられたカバープレート（１６）と、
前記クレセント錠（４）を操作不能な状態に取り囲むガード位置と同クレセント錠（４）を操作可能な状態に解放するアンガード位置のいずれかに切り換え自在となるように前記カバープレート（１６）に取り付けられたロックプレート（２３）と、
このロックプレート（２３）をガード位置にロックする施錠機構（２４）と、
を備えていることを特徴とするクレセント錠の防犯カバー。
【請求項２】
取付プレート（１５）は、クレセント錠（４）の取付台（１０）を屋内引き戸（３）の縦枠（７）に取り付けるための取付ねじ（１８）を挿通可能な幅寸法を有しかつ当該取付プレート（１５）の縁部に開口する逃げ溝部（１７）を備えていることを特徴とする請求項１に記載のクレセント錠の防犯カバー。
【請求項３】
施錠機構（２４）は、屋内側に開口するキー挿通部（２７）と、このキー挿通部（２７）に着脱自在に装着可能な操作キー（２９）とを備えている請求項１又は２に記載のクレセント錠の防犯カバー。
【発明の詳細な説明】
【技術分野】
【０００１】  本発明は、屋内引き戸の縦枠に取り付けることで防犯機能を向上できるクレセント錠の防犯カバーに関する。
【背景技術】
【０００２】  例えば、家屋の窓部やバルコニー等におけるアルミサッシよりなる引き戸装置には、部外者が屋内へ侵入するのを防止するための本締まり錠としてのクレセント錠が広く採用されている。しかし、上記クレセント錠による施錠だけでは、屋外引き戸のガラスの錠対応部分だけを割って当該クレセント錠を解錠すれば、部外者が比較的容易に侵入できることが知られている。
そこで、本願出願人は、両引き戸の本締まり錠（クレセント錠）を屋外側から見えなくなるように隠すことができかつ屋外引き戸のガラスに貼り付け可能なプレート本体と、このプレート本体の裏面に設けられた接着層とを備えている防犯プレートを既に提案している（特許文献１参照）。【０００３】  この防犯プレートによれば、屋外引き戸のガラスにおける本締まり錠の対応部分にプレート本体を貼り付けることで、本締まり錠を解錠するのに必要なガラスを割る範囲が拡大することになる。このため、泥棒等の部外者が屋外引き戸のガラスの錠対応部分を割るのを諦めて退散する蓋然性が大きくなり、部外者が屋外引き戸のガラスの錠対応部分を割ること自体を可及的に防止できるので、引き戸の防犯機能を大幅に向上することができる。
【特許文献１】  特開２０００−３０６１７３号公報（請求項１）
【発明の開示】
【発明が解決しようとする課題】
【０００４】  しかしながら、上記従来の防犯プレートは、屋外引き戸のガラスに貼り付けたプレート本体でクレセント錠を屋外側から見えなくなるように隠す機能しか有していない。このため、仮に部外者が防犯プレートの存在に意を介さずに屋外引き戸のガラスを割ってしまった場合には、部外者がクレセント錠を簡単に解錠できるようになるので、屋外引き戸のガラスを割られた後の防犯機能を殆ど果たせいという欠点がある。【０００５】  そこで、本発明の課題は、部外者が屋外引き戸のガラスの錠対応部分を割ること自体を可及的に防止できるとともに、仮に屋外引き戸のガラスを割られても部外者によるクレセント錠の解錠操作を不能にすることにより、引き戸の防犯機能を大幅に向上することができるクレセント錠の防犯カバーを提供する点にある。
【課題を解決するための手段】
【０００６】  上記課題を達成すすため、本発明は次の解決手段を講じた。
すなわち、本発明に係るクレセント錠の防犯カバーは、屋内引き戸の縦枠に取り付け可能な取付プレートと、その縦枠の枠外側面に取り付けられたクレセント錠を屋外側から見えないように隠すために前記取付プレートの幅方向一端側に設けられたカバープレートと、前記クレセント錠を操作不能な状態に取り囲むガード位置と同クレセント錠を操作可能な状態に解放するアンガード位置のいずれかに切り換え自在となるように前記カバープレートに取り付けられたロックプレートと、このロックプレートをガード位置にロックする施錠機構と、を備えていることを特徴とする。【０００７】  かかる本発明の防犯カバーによれば、屋外引き戸の縦枠に取付プレートを取り付けることにより、その取付プレートの幅方向一端側に設けられたカバープレートによってクレセント錠が屋外側から見えないように隠され、このカバープレートよりも広い範囲で屋外引き戸のガラスを割らない限りクレセント錠を解錠できなくなる。このため、当該防犯カバーを取り付けていない場合に比べて、クレセント錠を解錠するのに必要なガラスを割る範囲が拡大することになり、泥棒等の部外者が屋外引き戸のガラスの錠対応部分を割るのを諦めて退散する蓋然性が大きくなる。【０００８】  また、本発明の防犯カバーによれば、クレセント錠を操作不能な状態に取り囲むガード位置と、同クレセント錠を操作可能な状態に解放するアンガード位置のいずれかに切り換え自在となるロックプレートがカバープレートに取り付けられ、しかも、そのロックプレートをガード位置にロックする施錠機構が設けられているので、ロックプレートをガード位置にしてから同プレートを施錠機構でロックしておけば、仮に屋外引き戸のガラスを割られても部外者によるクレセント錠の解錠操作を不能にすることができる。【０００９】  本発明において、屋内引き戸の縦枠に対する取付プレートの取付手段は、接着剤やねじ止め等の一般的な手法を採用することができるが、取付プレートをねじ止めによって取り付ける場合には、当該取付プレートは、クレセント錠の取付台を屋内引き戸の縦枠に取り付けるための取付ねじを挿通可能な幅寸法を有しかつ当該取付プレートの縁部に開口する逃げ溝部を備えていることが好ましい。
このような逃げ溝部を取付プレートに形成した場合には、かかる取付プレートを屋内引き戸の縦枠とクレセント錠の取付台の間で挟み込んだ状態で、当該取付プレートを屋内引き戸の縦枠に取り付けることができる。このため、屋内引き戸の縦枠に新たにねじ孔を形成しなくても取付プレートのねじ止めが可能となるので、屋内引き戸の縦枠をまったく傷付けないで取付プレートを強固に固定できるようになる。【００１０】  また、本発明において、施錠機構は、屋内側に開口するキー挿通部と、このキー挿通部に着脱自在に装着可能な操作キーとを備えているものを採用することが好ましい。この場合には、操作キーのキー挿通部が屋内側に開口しているので、そのキー挿通部が他の向き（例えば、上側や屋内引き戸の枠外側）に開口している場合に比べて、操作キーによるロックプレートの施錠及び解錠操作が行い易くなるという利点がある。
【発明の効果】
【００１１】  上述の通り、本発明によれば、部外者が屋外引き戸のガラスの錠対応部分を割ること自体を可及的に防止できるとともに、仮に屋外引き戸のガラスを割られても部外者によるクレセント錠の解錠操作を不能にすることができるので、引き戸の防犯機能を大幅に向上することができる。
【発明を実施するための最良の形態】
【００１２】  以下、図面に基づいて、本発明の一実施形態について説明する。
図１〜図３は、本発明の一実施形態に係る防犯カバー１を示しており、この実施形態では、家屋の窓部やバルコニー等に設置されるアルミサッシよりなる引き戸装置に防犯カバー１を使用した場合を例示している。
この場合の引き戸装置は、図外のサッシ枠に互いに引き違い状となるように走行自在に嵌め込まれた屋外引き戸２及び屋内引き戸３と、これらの両引き戸２，３を本締めするためのクレセント錠４とを備えており、両引き戸２，３の枠内には矩形板状の透明又は半透明のガラス５が嵌め込まれている。上記クレセント錠４は、屋外引き戸２の縦枠６の枠内端面に固定された掛止フック８と、屋内引き戸３の縦枠７の枠外側面に固定された錠本体９とを備えている。【００１３】  このうち、錠本体９は、上記縦枠７の枠外端面に固定されたほぼ台形状の取付台１０と、この取付台１０に横軸回りに回転自在に枢着された円弧状のロック爪１１と、このロック爪１１に固定された操作レバー１２とを備えており、この操作レバー１２を上方へ回動してロック爪１１を前記掛止フック８も引っ掛けることにより、屋内外方向に重なる縦枠６，７同士が互いに連結され、これによって両引き戸２，３が施錠されるようになっている。【００１４】  図１及び図２に示すように、本実施形態の防犯カバー１は、ステンレス製の板材を断面ほぼコの字状に屈曲形成することによって構成されたカバー本体１４を備えており、このカバー本体１４は、屋内引き戸３の縦枠７に取り付け可能な取付プレート１５と、前記クレセント錠４を屋外側から見えないように隠すために取付プレート１５の幅方向一端側に設けられたカバープレート１６とを一体に備えている。
上記カバー本休１４を構成する両プレート１５，１６のうち、取付プレート１５は、屋内引き戸３の縦枠７とほぼ同幅でかつ前記取付台１０より大きい上下方向寸法を有するほぼ長方形状の板部材よりなり、この取付プレート１５には、その下端縁に向かって開口する逃げ溝部１７が形成されている。この逃げ溝部１７は、前記クレセント錠４の取付台１０を屋内引き戸３の縦枠７に取り付けるための取付ねじ１８を挿通可能な幅寸法を有し、取付プレート１５の上端よりの部分から下端縁に向かって真っ直ぐに延びた状態で切り込み形成されている。【００１５】  他方、カバープレート１６は、屋外引き戸２のガラス５と相対向するように取付プレート１５の屋外側端から引き戸２，３の走行方向に沿って延設された対向片１９と、この対向片１９の先端から屋内側に延設された立ち上がり片１０とからなる。従って、図２に示すように、防犯カバー１の取り付け状態においては、クレセント錠４（ただし、掛止フック８は除く。）は、カバープレート１６の対向片１９によって正面側から見えないように隠され、かつ、同プレート１６の立ち上がり片２０によって側方（真正面からやや斜めにずれた方向）から見えないように隠されることになる。【００１６】  なお、カバープレート１６の対向片１９の上下方向ほぼ中央部には、前記掛止フック８との干渉を避けるための逃げ開口部２１が形成されている。また、取付プレート１５とカバープレート１６とのコーナー部分と、対向片１９と立ち上がり片２０とのコーナー部分には、屋外引き戸２の縦枠６との干渉を避けるための逃げ凹条２２が形成されている。更に、カバープレート１６の立ち上がり片２０には、取付台１０の取付ねじ１８を回動操作するためのドライバー等の回動工具（図示せず。）を挿通することができる、上下方向に長い操作窓２２Ａが形成されている。【００１７】  本実施形態の防犯カバー１は、更に、クレセント錠４を操作不能な状態に取り囲むガード位置（図２の状態）と同クレセント錠４を操作可能な状態に解放するアンガード位置（図１の状態）のいずれかに切り換え自在となるようにカバープレート１６に取り付けられたロックプレート２３と、このロックプレート２３をガード位置にロックする施錠機構２４とを備えている。
上記ロックプレート２３は、カバープレート１６の立ち上がり片２０とほぼ同じ大きさの板部材よりなり、その上端部同士が取付ピン２５を介して上下方向に揺動自在となるように枢着されている。このため、ロックプレート２３は、図２に示すガード位置にある場合には、立ち上がり片２０の外面側に重合状態となり、このガード位置から上方に揺動させると、図１に示すように立ち上がり片２０の上方に位置するアンガード位置となる。【００１８】  図２に示すように、ガード位置にあるロックプレート２３の幅方向屋内側縁には、屋内引き戸３側（図２の右側）に向かって延びるロック片２６が屈曲形成されており、このロック片２６は、クレセント錠４の操作レバー１２と干渉してその下方への回動を阻止できる程度に屋内引き戸３側に突出している。このため、ロックプレート２３がガード位置にロックされている場合には、ロックプレート２３のロック片２６によってクレセント錠４の操作ができない状態となる。【００１９】  施錠機構２４は、屋内側に開口するように上記ロック片２６に形成されたキー挿通部２７と、このキー挿通部２７内に配置された回動シャフト２８と、このシャフト２８の回動を介してロックプレート２３を立ち上がり片２０に連結させる図外の掛止部材と、前記キー挿通部２７に着脱自在に装着可能な操作キー２９とを備えている。このため、ロックプレート２３をガード位置にしてからキー挿通部２７に操作キー２９を挿通し、その後、操作キー２９を解錠方向に回動させると、掛止部材を介してロックプレート２３が立ち上がり片２０に連結され、これによってロックプレート２３がガード位置にロックされるようになっている。【００２０】  次に、図１及び図２を参照しつつ、本実施形態の防犯カバー１の使用方法と作用を説明する。
まず、上記防犯カバー１を引き戸装置に設置するには、ドライバー等の回動工具を用いて取付台１０の取付ねじ１８を緩めて、取付台１０と縦枠７の間に若干の隙間を設ける。次に、図１に示すように、上記隙間内に防犯カバー１の取付プレート１５を上から差し込み、取付台１０の取付ねじ１８を逃げ溝部１７に挿通させるようにして、取付プレート１５を取付台１０の裏側にセットする。【００２１】  すると、クレセント錠４全体が防犯カバー１のカバー本体１４で囲まれた状態となるので、この状態で操作窓２２から挿通した回動工具によって取付ねじ１８を締め付け直し、取付プレート１５を取付台１０と縦枠７の間で挟み付けることにより、防犯カバー１の設置が完了する。
図３は、上記のようにして防犯カバー１を設置した後の引き戸装置を屋外側から見た正面図であり、同図に示すように、クレセント錠Ａはカバープレート１６の対向片１９によって屋外側から見えないように隠されている。【００２２】  また、本実施形態の防犯カバー１によってクレセント錠４に対する解錠操作を阻止するようにするには、ロックプレート２３を下方に回動させて図２に示すガード位置にし、この状態で、前記操作キー２９をキー挿通部２７に挿通して解錠方向に回動させればよい。すると、施錠機構２４によってロックプレート２３が立ち上がり片２０に連結されてガード位置にロックされ、当該ロックプレート２３のロック片２６によってクレセント錠４の操作レバー１２を下方へ回動できなくなり、これによってクレセント錠４に対する解錠操作が阻止される。【００２３】  このように、本実施形態の防犯カバー１によれば、クレセント錠４がカバープレート１６の対向片１９で屋外側から見えないように隠され、この対向片１９よりも広い範囲で屋外引き戸２のガラス５を割らない限りクレセント錠４を解錠できなくなる。このため、当該防犯カバー１を取り付けていない場合に比べて、クレセント錠４を解錠するのに必要なガラス５を割る範囲が拡大することになり、泥棒等の部外者が屋外引き戸２のガラス５の錠対応部分を割るのを諦めて退散する蓋然性が大きくなる。【００２４】  また、本実施形態の防犯カバー１によれば、クレセント錠４を操作不能な状態に取り囲むガード位置と、同クレセント錠４を操作可能な状態に解放するアンガード位置のいずれかに切り換え自在となるロックプレート２３がカバープレート１６に取り付けられ、しかも、そのロックプレート２３をガード位置にロックする施錠機構２４が設けられているので、ロックプレート２３をガード位置にしてから同プレート２３を施錠機構２４でロックしておくことにより、仮に屋外引き戸２のガラス５を割られても部外者によるクレセント錠４に対する解錠操作を阻止することができる。【００２５】  更に、本実施形態の防犯カバー１では、カバープレート１６の先端部に形成した立ち上がり片２０により、屋外引き戸２の真正面からだけでなく、真正面からやや斜めにずれた方向からも、クレセント錠４が見えないように隠されることになるので、当該防犯カバー１による防犯機能がより向上するという利点もある。
なお、本発明は上記実施形態に限定されるものではない。
【図面の簡単な説明】
【００２６】
【図１】  本発明の防犯カバーを引き戸装置に取り付ける際の斜視図である。
【図２】  本発明の防犯カバーを引き戸装置に取り付けた後の状態を示す斜視図である。
【図３】  本発明の防犯カバーを取り付けた引き戸装置を屋外側から見た正面図である。
【符号の説明】
【００２７】  １      防犯カバー
２      屋外引き戸
３      屋内引き戸
４      クレセント錠
５      ガラス
６      縦枠（屋外側）
７      縦枠（屋内側）
１０      取付台
１５      取付プレート
１６      カバープレート
１７      逃げ溝部
１８      取付ねじ
２３      ロックプレート
２４      施錠機構
２７      キー挿通部
２８      操作キー
【図１】
2005155295.tif 000003
【図２】
2005155295.tif 000004
【図３】
2005155295.tif 000005